(57)【要約】      （修正有）【課題】農業用ビニールハウスのビニールシート端部にパイプ材を着脱自在に固定するため、パイプ材への装着を簡単容易にし、かつ把持力を強くすることができ、またその経年劣化による把持力低下を防止することができ、さらにパイプ材に対する把持面の周方向長さをパイプ材の全周とほぼ同程度に長くすることができるクリップを提供する。【解決手段】プラスチック製でＣ型のクリップ本体１０と金属バンド２５によるクリップについて、上記クリップ本体１０の背面に背筋溝１１があり、当該背筋溝１１の底が肉薄の可撓ヒンジ部になっており、棒状部材３０に複数の金属バンド２５の背面中央部を固着してあり、上記金属バンド２５がＣ型バンドであり、上記金属バンド２５が上記クリップ本体１０に嵌められ、上記棒状部材３０がクリップ本体１０の背筋溝１１に圧入して着脱自在に固定されている農業用ビニールハウスのビニールシート固定用クリップ。【選択図】図１
2009183252.tif 000002
【特許請求の範囲】
【請求項１】
農業用ビニールハウスのビニールシートの端部にパイプ材を着脱自在に固定するための、プラスチック製でＣ型のクリップ本体と金属バンドによるクリップであって、
上記クリップ本体の背面に背筋溝があり、当該背筋溝の底が肉薄の可撓ヒンジ部になっており、
棒状部材に複数の金属バンドの背面中央部を固着してあり、
上記金属バンドがＣ型バンドであり
上記金属バンドが上記クリップ本体に嵌められ、上記棒状部材がクリップ本体の背筋溝に圧入されて着脱自在に固定されていることを特徴とする農業用ビニールハウスのビニールシート固定用クリップ。
【請求項２】
上記クリップ本体の左右の外側面に上記背筋溝と平行な側溝が設けられている請求項１の農業用ビニールハウスのビニールシート固定用クリップ。
【請求項３】
上記金属バンドが金属板材又は金属線材によるものである請求項１の農業用ビニールハウスのビニールシート固定用クリップ。
【請求項４】
上記金属バンドがΩ型のバンドである請求項１の農業用ビニールハウスのビニールシート固定用クリップ。
【発明の詳細な説明】
【技術分野】
【０００１】
この発明は農業用ビニールハウスのビニールシートの端縁をパイプ材（例えば巻き上げパイプ材）Ｐに着脱自在に固定するためのクリップに関するものであり、そのパイプ材Ｐへの着脱操作が極めて簡単容易であり、かつ、当該クリップの把持力の安定性が高く、経年変化によって緩みが生じることのないものである。
【背景技術】
【０００２】
農業用ビニールハウスの構造は例えば図３に示すようなものであり、そのビニールシート（例えば、屋根シート）１００の端縁が多数のクリップＣでパイプ材Ｐに着脱自在に固定されている（例えば、特開２００１−１２００８１号公報、特許第３０４９７３６号公報）。図３のビニールハウスでは、ビニールシート１００の端縁を巻き上げパイプ材Ｐに巻き付け、その上からクリップＣを嵌めて固定してあり、ハンドル操作軸５０で巻き上げ装置Ｍが駆動されると巻き上げ装置Ｍで巻き上げ用のパイプ材Ｐが駆動され、パイプ材Ｐにビニールシート１００が巻き上げられる。
【０００３】
上記従来技術によるクリップＣの具体的構造は様々なものが公知であるが、取り扱いが容易で廉価であるなどの理由から、肉厚のプラスチック製のものが多用されている（特公平２−１４００９号公報の図５、図６、実用新案登録第３０７６３６０号公報の図１、図２）。そしてこのクリップＣの断面形状はＣ型、あるいはΩ型である。
図４に例示した従来のものはΩ型のクリップであり、クリップ本体６０の左右両縁６０ａ，６０ｂ間の開口６３からパイプ材Ｐを圧入嵌合してクリップ全体を拡開させて開口６３からパイプ材Ｐを嵌め込み、クリップ本体の弾性復元力でビニールシート１００をパイプ材に固定するものである。上記クリップ本体がΩ型であるので、パイプ材Ｐに対するクリップ本体６０による把持面の周方向長さを長くすることができ、左右両縁６０ａ，６０ｂ間の開口６３にパイプ材Ｐを押し込み易い。左右両縁６０ａ，６０ｂ間の開口６３の幅が小さいほどパイプ材Ｐに対するクリップによる把持面の周方向長さが長くて把持効果を高くするのに好都合である。しかしそうすると、パイプ材Ｐにクリップ本体６０を嵌めることが困難であるので、この開口６３の幅はパイプ材Ｐの外経よりも少し小さい程度（例えばパイプ材Ｐの外径が２２．２ｍｍのとき、上記開口６３の幅は１４．５ｍｍ）にしてあり、これを余り小さくすることはできない。
【０００４】
Ｃ型又はΩ型のクリップはプラスチック製であるから、弾性変形に対する抵抗を大きくすることによって把持力を強くすることができるが、経年変化によって把持力が低下し（プラスチック材のクリープ現象による）、このためにビニールシートにかかる強い張力でパイプ材Ｐに対して部分的に滑ってずれを生じ、ビニールシートが部分的に弛んでしまうという問題があり、また、パイプ材Ｐでビニールシートを巻き上げる場合は、部分的な弛みのためにその全幅に亘って均等に巻き上げることができなくなるという不都合を生じる。
他方、把持力を余り強くするとそれだけクリップを拡開させるのが困難になり、その結果、そのパイプ材への着脱作業が困難になり作業能率が損なわれる。したがって、クリップＣの経年劣化による把持力低下を見込んで予じめその把持力を強くすることはできない。
【０００５】
プラスチック製クリップの把持力をより強くしつつ把持力低下を低減するものとしてクリップ本体とＣ型の金属バンドとを複合したものが実開昭５３−３２１４２号公報に記載されている。当該公開公報に記載されているものは断面Ｃ型のクリップ本体の内面に断面Ｃ型の金属バンドを埋設して複合したものであるが、Ω型のクリップ本体とＣ型の金属バンドによるもの（図４参照）も実用されている。
【０００６】
図４に示す従来例は例えば、外径２２．２ｍｍのパイプ材Ｐに対するもので長さが１５０ｍｍ程度であるが、クリップ本体６０の外周に幅４ｍｍの金属バンド６１を埋設して組み合わせているものであり、そのクリップ本体６０の弾発力を弱くし、金属バンド６１で補強してクリップの所要把持力を確保することで、クリップ本体の経年劣化による把持力への影響を低減している。しかし、このものはクリップ本体６０の反発力を利用して所要の把持力を確保しているのであるから、この部分の経年劣化に伴ってクリップ全体の把持力が低下するのは避けられない。
【０００７】
他方、クリップ本体６０はその全長に亘って均等にパイプ材Ｐを把持するものでなければならないから全体として硬いものでなければならず、したがって、クリップ本体自体の把持力を弱くしてその分だけ金属バンド６１による把持力を強くすることはできない。それゆえ、図４に示す従来例についても、クリップ本体の経年劣化の把持力に対する影響を大幅に低減して、クリップ本体の経年劣化による上記の問題を解消することはできない。
【０００８】
また、クリップ本体６０の左右両縁６０ａ，６０ｂ間の開口６３を狭くして、クリップ本体６０のパイプ材Ｐに対する把持面の周方向長さを長くすることにより、クリップによってビニールシート１００のパイプ材Ｐへの固定機能が高められる。しかし、上記開口６３を狭くするとそれだけパイプ材Ｐへの嵌め込み、取り外しが困難になるので、開口６３をさらに狭くして把持面の周方向長さを長くすることもできない。
【特許文献１】特開２００１−１２００８１号公報
【特許文献２】特許第３０４９７３６号公報
【特許文献３】特公平２−１４００９号公報
【特許文献４】実用新案登録第３０７６３６０号公報
【特許文献５】実開昭５３−３２１４２号公報
【発明の開示】
【発明が解決しようとする課題】
【０００９】
この発明は、プラスチック製でＣ型のクリップのパイプ材への装着を極めて簡単容易にし、かつ把持力を十分に強くすることができ、またその経年劣化による把持力低下を防止することができ、さらにパイプ材に対する把持面の周方向長さをパイプ材の全周とほぼ同程度に長くすることができるようにクリップの構造を工夫することを、その課題とするものである。
【課題を解決するための手段】
【００１０】
上記課題を解決するための手段は、農業用ビニールハウスのビニールシートの端部にパイプ材を着脱自在に固定するためのクリップであって、プラスチック製でＣ型のクリップ本体と金属バンドによるクリップについて、次の（イ）〜（ニ）によるものである。
（イ）上記クリップ本体の背面に背筋溝があり、当該背筋溝の底が肉薄の可撓ヒンジ部になっており、
（ロ）棒状部材に複数の金属バンドの背面中央部を固着してあり、
（ハ）上記金属バンドがＣ型バンドであり、
（ニ）上記金属バンドが上記クリップ本体に嵌められ、上記棒状部材がクリップ本体の背筋溝に圧入され、着脱自在に固定されていること。
さらに、
（ホ）上記クリップ本体の左右の外側面に上記背筋溝と平行な側溝が設けられていることである。
【００１１】
なお、上記金属バンドを、一つの棒状部材に２〜３個取り付けることが望ましい。これによって、複数の金属バンドをクリップ本体に容易に装着することができ、また金属バンドによる締め付け力をクリップ本体の全長にほぼ均等に分散させることができる。一個の金属バンドによる場合は金属バンドを幅広にし、また、拡開操作を容易にするための工夫が必要である。
また、必ずしも好ましい形態ではないが、金属バンドに半径方向内方に突出部を設け、これが上記背筋溝に押し込まれる楔として機能するときは、上記棒状部材は必ずしも必要でない。
【発明の効果】
【００１２】
クリップ本体がプラスチック製でＣ型であるからその左右両縁は互いに近接しており、また、その背面に上記背筋溝による可撓ヒンジ部があるからクリップ本体は肉厚で十分硬くても、極めて容易に左右に開かれる。したがって、クリップ本体を十分硬いものにしてもこれを容易にパイプ材に嵌め込むことができる。
【００１３】
そしてＣ型の上記クリップ本体をパイプ材に嵌めると、当該パイプ材のほぼ全周囲が上記クリップ本体で把持される。パイプ材に嵌められたクリップ本体に上記金属バンドを拡開させて嵌めるとき拡開操作されるのは金属バンドだけであるから、この拡開操作は比較的容易である。金属バンドをクリップ本体に嵌め込んだ後、上記棒状部材を上記背筋溝に押し込んで固定することで、棒状部材、金属バンドがクリップに固定される。また、棒状部材のくさび作用で背筋溝が押し広げられるので、クリップ本体を拡開させる外力に対するクリップ本体の剛性が高くなる。そして、金属バンドは容易に装着されるのでこれを十分強いものにすることができ、したがって、クリップ本体の把持力はなくても、金属バンドの強さでパイプ材が強く把持される。それ故、クリップ本体のパイプ材に対する把持が緩むことはない。
【００１４】
そして、プラスチック製のクリップ本体については、これを硬いものにすることは支障なくできるので、金属バンドによる把持力はクリップ本体の軸方向全長に亘ってほぼ均等であり、また、時間の経過に関わりなく一定である。
【００１５】
また、上記クリップ本体の左右の外側面に上記背筋溝と平行な側溝が設けられていると、この側溝の底の部分が薄くて比較的容易に変形するので、クリップのパイプ材への嵌め込み作業が容易になる。
金属バンドについては、Ω型であればクリップ本体への圧入嵌合が容易であるが、しかし、容易に嵌め込めるのであればＣ型バンドでも支障はない。
【発明を実施するための最良の形態】
【００１６】
ビニールハウスの屋根シートを巻き上げパイプに固着するのにこの発明を適用した実施例１、実施例２、実施例３を図１、図２、図２−１、図２−２を参照して説明する。
〔実施例１〕
実施例１は塩化ビニール製のクリップ本体１０とΩ型金属バンド２５，２５と棒状部材３０とによるものであり、外径１９．１〜２２．２ｍｍのパイプ材Ｐに装着されるものである。
Ｃ型のクリップ本体１０の自由状態での内径は１８ｍｍ、外径は３２．２ｍｍであり、全長Ｌは６０〜１５０ｍｍである。そして、クリップ本体１０の背面に長手方向の背筋溝１１がある。この背筋溝１１の底は薄肉のヒンジ部１１ａになっている。また、背筋溝の左右両側部分、すなわち、クリップ本体１０の左右の翼１０ａ，１０ｂの外側面に背筋溝１１と同様の側溝１２がそれぞれ設けられている。
上記背筋溝１１は内径６ｍｍの上向きのＣ型溝であり、その深さは４ｍｍ、開口幅ｇは５．５ｍｍである。上記側溝１２は内径３ｍｍの横向きのＣ型溝である。
【００１７】
２つのΩ型の金属バンド２５，２５が棒状部材３０を跨いだ状態で組み合わされ、金属バンド２５の中央下面に断面円形の棒状部材３０が止めねじ３３で固定されている。そして、金属バンド２５はバネ鋼製であり、その自由状態での内径は３０ｍｍであり、断面円形の棒状部材３０の外径は５．５ｍｍである。
金属バンド２５の自由状態での内径は、パイプ材Ｐに嵌められた状態のクリップ本体１０の外径よりも小さく、金属バンド２５がクリップ本体１０に嵌められたとき拡開された状態になる。
金属バンド２５は太めの金属線材製でもよく、幅狭の金属板製でもよいが、この実施例の金属バンド２５は厚さが１ｍｍ、幅が５ｍｍである。そして、その左右両翼２５ａ，２５ｂの先端と先端の間の幅ｘは２３．２ｍｍであり、クリップ本体１０の外径よりも９ｍｍ小さい。
そしてクリップ本体１０の左右両端縁（左右両翼１０ａ，１０ｂの先端）間の開口１０ｗの幅はほぼ４０ｍｍ程度である。  
【００１８】
棒状部材３０の直径は、クリップ本体１０が自由状態にあるときの背筋溝１１の内径とほぼ同じであるが、クリップ本体１０がパイプ材Ｐに嵌められるとその左右両翼１０ａ，１０ｂが左右に開かれ、このために背筋溝１１が若干潰されて棒状部材３０の太さよりも若干細くなっている。金属バンド２５をクリップ本体１０に嵌め、棒状部材３０をその背筋溝１１に圧入させることで棒状部材３０がクリップ本体１０に固定される。
【００１９】
クリップ本体１０の左右両縁１０ｅ，１０ｆの間の開口１０ｗの幅を十分小さくしても、背筋溝１１の底のヒンジ部１１ａを支点にして左右両翼が容易に開かれる。したがって、クリップ本体１０は容易に拡開されるので、パイプ材への装着は容易である。また、左右両翼１０ａ，１０ｂに側溝１２がある場合はその底部が可撓性ヒンジになっているのでさらに容易である。
【００２０】
パイプ材Ｐにビニールシート（具体的には屋根シート）１００の下端を巻き付けた状態でこれにクリップ本体１０を嵌め、その後、クリップ本体１０に２つの金属バンド２５，２５を嵌め、棒状部材３０を背筋溝１１に圧入してこれらを固定する。
棒状部材３０はクリップ本体１０よりも少し長く、背筋溝に嵌め込まれたとき、その一端がクリップ本体の端部から少しはみ出るようになっている。このようにすることで、棒状部材３０の一端を掴んで上方（図１において上方）に引き上げることにより、棒状部材３０が背筋溝１１から容易に外れ、金属バンドも容易に外される。
【００２１】
〔実施例２〕
実施例１の上記棒状部材３０は背筋溝１１に圧入嵌合され、これによって金属バンドをクリップ本体に固定する機能と楔作用とを奏するものであるから、これらの機能を奏する他の構造を採用することもできる。実施例２はその一例であり、図２−１に示されているものである。これは幅５ｍｍの金属バンド３５の中央にＣ型突起３５ａを半径方向内方に形成したものであり、Ｃ型突起２５ａがクリップ本体１０の背筋溝１１に圧入嵌合され、背筋溝１１を拡開させる楔として機能する。
【００２２】
〔実施例３〕
また、実施例３は実施例２の金属バンド３５と同様の２つの金属バンド４５，４５を角形の棒状部材４６で連結し、この棒状部材４６をクリップ本体４０の背筋溝４１に嵌めて固定したものである。棒状部材４６は、背筋溝４１に押し込まれてこれに固定されるから楔として機能する。したがって、金属バンド４５のＣ型突起４５ａは、実施例２の金属バンド３５のＣ型突起３５ａと違って楔として機能する必要はない。
棒状部材４６には２つの切り欠き４６ａが設けられており、この切り欠き４６ａに金属バンド４５のＣ型突起４５ａが嵌められ、これによって金属バンド４５が棒状部材４６に連結される。
なお、以上の実施例における寸法は一例であり、一つの目安である。そして、クリップ本体の材質の硬さ、金属バンドの硬さの如何により、また、固定すべきパイプ径、ビニールシートの厚さ、硬さ等との関係で適宜選択されるべきものである。
【図面の簡単な説明】
【００２３】
【図１】は、実施例１の斜視図
【図２】は、図１のクリップ本体の拡大図
【図２−１】は、実施例２の金属バンドの斜視図
【図２−２】は、実施例３の斜視図
【図３】は、農業用ビニールハウスの全体斜視図
【図４】は、従来技術のクリップ本体の拡大図
【符号の説明】
【００２４】
１０：クリップ本体
１０ａ：クリップ本体１０の左翼
１０ｂ：クリップ本体１０の右翼
１０ｅ：左縁
１０ｆ：右縁
１０ｗ：開口
１１：背筋溝
１１ａ：背筋溝の底（薄肉のヒンジ）
１２：側溝
２５，３５，４５：金属バンド
２５ａ：金属バンドの左翼
２５ｂ：金属バンドの右翼
３０，４６：棒状部材
１００：ビニールシート
Ｃ：クリップ
ｇ：背筋溝の開口幅
Ｐ：パイプ材
【図１】
2009183252.tif 000003
【図２】
2009183252.tif 000004
【図２−１】
2009183252.tif 000005
【図２−２】
2009183252.tif 000006
【図３】
2009183252.tif 000007
【図４】
2009183252.tif 000008